(57)【要約】【課題】吐水装置を既存の浴槽であっても簡単に設置できて、水膜によるマッサージ的なリクラゼーション効果が容易に得られる浴槽用吐水装置を提供する。【解決手段】スリット状の吐水口を有して浴槽上縁面の上方に配設され、その吐水口から浴槽内に吐水して水膜を形成する浴槽用吐水装置であって、吐水装置は、支持手段により浴槽上縁面から所定高さ浮いた状態で浴室壁面もしくは浴槽上縁面の上方に配設されると共に、該吐水装置の給水配管を浴室壁面内もしくは浴槽上縁面上に配設したことを特徴とする。支持手段は、浴室壁面に固定され給水配管が挿通される配管孔を有する支持板で形成されたり、浴槽上縁面上に配置された左右一対の支持パイプで形成される。【選択図】  図１
2004176268.tif 000002
【特許請求の範囲】
【請求項１】
スリット状の吐水口を有して浴槽上縁面の上方に配設され、その吐水口から浴槽内に吐水して水膜を形成する浴槽用吐水装置であって、
前記吐水装置は、支持手段により浴槽上縁面から所定高さ浮いた状態で浴室壁面もしくは浴槽上縁面の上方に配設されると共に、該吐水装置の給水配管を浴室壁面内もしくは浴槽上縁面上に配設したことを特徴とする浴槽用吐水装置。
【請求項２】
前記吐水装置は、吐水流路が形成された一対の板体で形成され、その一方の板体の基部側に前記給水配管が接続される給水口が設けられていることを特徴とする請求項１に記載の浴槽用吐水装置。
【請求項３】
前記支持手段は、給水配管が挿通される配管孔を有して浴室壁面に固定される支持板で形成され、該支持板の前面に前記吐水装置が取り付けられることを特徴とする請求項１または２に記載の浴槽用吐水装置。
【請求項４】
前記支持手段は、浴槽上縁面上に配設された左右一対の支持パイプで形成され、該支持パイプのうち、一方が前記給水配管として使用され他方が配線収納用に使用されることを特徴とする請求項１または２に記載の浴槽用吐水装置。
【請求項５】
前記左右一対の支持パイプの少なくとも一方は、浴槽上縁面に所定強度で取り付けられて握りバーとして機能することを特徴とする請求項４に記載の浴槽用吐水装置。
【請求項６】
前記吐水装置は、その外周部が着脱可能なカバーで覆われ、該カバー内に吐水口から吐水されて形成される水膜を光らせる照明手段が配設されていることを特徴とする請求項１ないし５のいずれかに記載の浴槽用吐水装置。
【発明の詳細な説明】
【０００１】
【発明の属する技術分野】
本発明は、例えばシステムバスルーム内の浴槽の背側上縁面の上方に配設されて、半身浴時等に入浴者の両肩部分等に浴びせる水膜を形成することが可能な浴槽用吐水装置に関する。
【０００２】
【従来の技術】
従来、浴槽内に吐水する吐水装置としては、例えば特許文献１や特許文献２あるいは図７及び図８に示す吐水装置が提案されている。この特許文献１及び特許文献２に開示の吐水装置は、浴槽の背側の上縁面に背当部を一体形成し、この背当部内に先端部にスリット状の吐水口を有する吐水ノズルや給水配管を収納配置し、この背当部の前面に開口する吐水口から浴槽内に吐水して水膜を形成するようしたものである。
【０００３】
また、図７及び図８に示す吐水装置１０１は、浴槽１０２の背側の上縁面１０２ａ上にノズル本体１０３を密着状態で載置し、このノズル本体１０３の直下の上縁面１０２ａに配管孔１０４を開けてノズル本体１０３の給水口に給水配管１０５を接続し、ノズル本体１０３の吐水口から浴槽１０２内に吐水して水膜１０６を形成するようにしたものである。
【０００４】
【特許文献１】
特開２００２−６５４９０号公報
【特許文献２】
特開２００２−１５３３９１号公報
【０００５】
【発明が解決しようとする課題】
しかしながら、特許文献１、２に開示の吐水装置にあっては、浴槽自体に背当部が一体形成されこの背当部内に吐水ノズルや給水配管が収納配置される構造であるため、吐水装置が背当部を有する浴槽にしか取り付けできず、汎用タイプの既存の浴槽に適用することが困難で、吐水装置の設置の汎用性が劣る。その結果、既存製品に簡単に取り付けて水膜によるマッサージ的なリクラゼーション効果を得ることが難しいという問題点を有している。
【０００６】
また、図７及び図８に示す吐水装置１０１にあっては、浴槽１０２の上縁面１０２ａ上にノズル本体１０３が載置され、その直下の浴槽壁面と壁パネルとの間に形成される空間が設置スペースとして使用されるため、該空間を給水配管用のスペースとして十分に確保するには、上縁面１０２ａが比較的幅広な専用の浴槽１０２が必要となる。そのため、特許文献１、２に開示の吐水装置と同様に、汎用タイプの既存の浴槽に適用することが困難であると共に、浴槽１０２の湯水を溜める部分をできるだけ広く確保するよう上縁面１０２ａをできる限り狭くしたいという要請の点からも望ましくない。
【０００７】
本発明は、このような事情に鑑みてなされたもので、その目的は、吐水装置を既存の浴槽であっても簡単に設置できて、水膜によるマッサージ的なリクラゼーション効果が容易に得られる浴槽用吐水装置を提供することにある。
【０００８】
【課題を解決するための手段】
かかる目的を達成するために、本発明のうち請求項１に記載の発明は、スリット状の吐水口を有して浴槽上縁面の上方に配設され、その吐水口から浴槽内に吐水して水膜を形成する浴槽用吐水装置であって、前記吐水装置は、支持手段により浴槽上縁面から所定高さ浮いた状態で浴室壁面もしくは浴槽上縁面の上方に配設されると共に、該吐水装置の給水配管を浴室壁面内もしくは浴槽上縁面上に配設したことを特徴とする。
【０００９】
このように構成することにより、例えば浴槽内の湯は、浴槽側壁に設けた吸込口からポンプによって吸い込まれ、給水配管を介して浴室壁面や浴槽上縁面の上方に配設された吐水装置に供給され、該吐水装置の吐水流路を流れてそのスリット状の吐水口から浴槽内に膜状に吐水されて水膜を形成する。この時、吐水装置が支持手段を介して浴槽上縁面から所定高さ浮いた状態で配設されると共に、給水配管が浴室壁面内や浴槽上縁面上に配設されることから、吐水装置の設置が浴槽の上縁面形状等に影響されず、吐水装置を既存の浴槽にも簡単に設置できて、水膜によるマッサージ的なリクラゼーション効果が容易に得られる。
【００１０】
そして、前記吐水装置は、請求項２に記載の発明のように、吐水流路が形成された一対の板体で形成され、その一方の板体の基部側に前記給水配管が接続される給水口が設けられていることが好ましい。このように構成することにより、吐水装置が一対の板体で形成されて一方の板体の基部側に給水口が設けられていることから、吐水装置自体を薄型に形成して浴室壁面や浴槽上縁面の上方にすっきりと設置できる。
【００１１】
また、前記支持手段は、請求項３に記載の発明のように、給水配管が挿通される配管孔を有して浴室壁面に固定される支持板で形成され、該支持板の前面に前記吐水装置が取り付けられることが好ましい。このように構成することにより、支持手段が浴室壁面に固定される配管孔を有する支持板で形成されることから、この支持板に吐水装置を前方から簡単に取り付けできると共に、給水配管を配管孔を介して浴室壁面内に配置できて、吐水装置を浴室壁面に確実かつすっきりと設置できる。
【００１２】
また、前記支持手段は、請求項４に記載の発明のように、浴槽上縁面上に配設された左右一対の支持パイプで形成され、該支持パイプのうち、一方が前記給水配管として使用され他方が配線収納用に使用されることが好ましい。この場合、前記左右一対の支持パイプの少なくとも一方は、請求項５に記載の発明のように、浴槽上縁面に所定強度で取り付けられて握りバーとして機能することが好ましい。このように構成することにより、支持手段としての一対の支持パイプで吐水装置が支持され、支持パイプの一方が給水配管として使用され他方が配線収納用に使用されることから、浴槽上縁面のスペースを有効利用して吐水装置を給水配管用の支持パイプと配線収納用の支持パイプですっきりと設置できる。そして、吐水装置の支持パイプに握りバーの機能を持たせることで、吐水装置の使い勝手の向上等が図れる。
【００１３】
また、前記吐水装置は、請求項６に記載の発明のように、その外周部が着脱可能なカバーで覆われ、該カバー内に吐水口から吐水されて形成される水膜を光らせる照明手段が配設されていることが好ましい。このように構成することにより、吐水装置が着脱可能で照明手段が収納配置されたカバーで覆われることから、水膜を光らせることが可能な吐水装置のメンテナナンス等が容易に行える。
【００１４】
【発明の実施の形態】
以下、本発明の実施の形態を図面に基づいて詳細に説明する。
図１〜図４は、本発明に係わる浴槽用吐水装置の第１の実施形態を示し、図１がその設置状態の斜視図、図２がその一部分解した概略断面図、図３が支持板と吐水装置の分解斜視図、図４が吐水装置の分解斜視図である。
【００１５】
図１において、浴室２内に設置される浴槽用吐水装置１（吐水装置１という）は、その下端部が浴槽３の背側の上縁面３ａより所定高さ浮いた状態で、後述する支持手段を介して上縁面３ａ上方の浴室壁面４に取り付けられている。これにより、吐水装置１のスリット状の吐水口５が浴槽３の上縁面３ａより所定寸法高い位置に設定されると共に、この吐水装置１の外周部を覆うようにカバー６が設けられ、このカバー６の上部前面に開口している前記吐水口５から膜状に吐水されて、水膜７が所定の落差を有して浴槽３内の背側部分に形成されるようになっている。
【００１６】
また、前記吐水装置１は、図４に示すように、前後一対の板体としての薄板８、９と、この薄板８、９間の幅方向両端部と基部側間に介装された切欠１１ａを有するゴム板等の弾性材１１とにより、全体として薄板形状に形成されている。薄板８、９は、例えば厚さ１ｍｍ程度のステンレス板で形成され、その基部側（図４において下部）に平坦状の垂直な取付部８ａ、９ａが形成され、その先端側（図４において上部）に側面視でアール形状の吐出部８ｂ、９ｂが形成されている。そして、薄板８と薄板９が水密性と気密性を有する弾性材１１を介して積層され、その外周部をネジ４１とナット４２で固定することにより薄板状に形成されると共に、内部に弾性材１１の切欠き１１ａにより吐水流路１０（図２参照）が形成されている。
【００１７】
さらに、一対の薄板８、９のうち、後側の薄板９の取付部９ａには、後方に向けてパイプを所定長さ突出させることで給水口１２が設けられ、この給水口１２と前記吐水口５とが前記吐水流路１０を介して連通状態とされている。また、後側の薄板９の給水口１２の上部には、先端部に円形の径大部を有する左右一対の係合突起１３（図２及び図３参照）が後方に突出状態で一体的に設けられ、前後一対の薄板８、９の取付部８ａ、９ａ及び弾性材１１の下部中央には、前後方向に貫通する状態で取付孔１４が穿設されている。
【００１８】
そして、この吐水装置１は、例えば図２及び図３に示すように、支持手段としての支持板１５を介して浴室壁面４に取り付けられている。すなわち、浴室壁面４の浴槽３の上縁面３ａより所定高さ上方位置と、上縁面３ａより所定高さ下方位置に配管孔１６、１７が形成され、この配管孔１６、１７間に筒状で側面視略コ字状の配管部材１８の両端部が水密状態で嵌合されることにより、例えば樹脂製の配管部材１８が浴室壁面４内に位置する状態で取り付けられている。
【００１９】
また、上方の配管孔１６の浴室壁面４の前面側には支持板１５が、その上下の固定フランジ部１５ｂをネジ１９でねじ込むことによって浴室壁面４に固定されている。この支持板１５は、金属板の加工によって平板状の吐水装置取付部１５ａの上下に前記固定フランジ部１５ｂがそれぞれ形成され、吐水装置取付部１５ａには、その略中央部分に配管孔２０が穿設されると共にその上部に孔部と溝部を有する左右一対の係合孔２１がそれぞれ穿設され、また、その下部中央にナット２２が溶接固定されている。
【００２０】
この浴室壁面４に固定された支持板１５の配管孔２０には、吐水装置１の前記給水口１２にその一端２３ａが接続されたフレキシブル管からなる給水配管２３が挿通されている。この給水配管２３は、配管部材１８内を挿通されて、下方の配管孔１７から浴槽３の背側壁面３ｂと浴室壁面４との間で形成される空間２４内に引き出され、その他端２３ｂが浴槽３の図示しない側壁の吸込口に接続されたポンプ２５に接続されている。また、支持板１５の吐水装置取付面１５ａの各係合孔２１には、その前方から吐水装置１の前記係合突起１３がそれぞれ係合され、吐水装置取付面１５ａのナット２２には、吐水装置１の前記取付孔１４からネジ２６がねじ込まれている。
【００２１】
さらに、吐水装置１と支持板１５の外周部には、吐水装置１等の外形形状等に対応して樹脂成形された前記カバー６が前方から嵌め込まれ、このカバー６の側面に設けた取付孔から吐水装置１の側面に設けたネジ孔にネジ２７がねじ込まれている。これにより、図１に示すように、カバー６で吐水装置１と支持板１５が略完全に覆われた状態で、吐水装置１が浴室壁面４に取り付けられている。なお、この例では、カバー６がネジ２７によって吐水装置１に対して着脱できるように構成したが、例えばカバー６内面に設けた凸部を吐水装置１あるいは支持板１５に設けた凹部に係合させることで着脱可能な構成とすることもできる。
【００２２】
このように吐水装置１が支持板１５を介して取り付けられていることから、吐水装置１の浴室壁面４への設置は、例えば次のようにして行われる。すなわち、先ず支持板１５を内部に配管部材１８が配設された浴室壁面４の配管孔１６部分に固定し、吐水装置１に接続した給水配管２３の他端２３ｂ側を、支持板１５の配管孔２０から配管部材１８内に押し込むかあるいは空間２４側から引っ張って配管部材１８内に挿通する。この時、配管部材１８が樹脂製で形成されると共に給水配管２３がフレキシブル管で形成されていることから、給水配管２３が配管部材１８内をスムーズに移動して、配管作業が容易に行える。
【００２３】
そして、給水配管２３が配管部材１８内に挿通されたら、この給水配管２３の一端２３ａが接続された吐水装置１を、支持板１５の吐水装置取付部１５ａに係合突起１３と係合孔２１の係合やネジ２６とナット２２の螺合で取り付け、この吐水装置１にカバー６を取り付けることによって吐水装置１が浴室壁面４に設置される。したがって、吐水装置１の設置に浴槽３の上縁面３ａが直接的に何等関与せず、また空間２４内に必要最小限の部材を配置できて、浴槽３自体の形状等に係わらず吐水装置１の設置が行えることになる。
【００２４】
この吐水装置１が設置された浴槽３によれば、入浴者が例えば浴槽３内に入浴中に、吐水装置１を作動させようとする場合は、浴室壁面４に設けた図示しない操作盤を操作してポンプ２５をオンさせる。このポンプ２５のオンにより、浴槽３内の湯が吸込口から吸い込まれて、給水配管２３から吐水装置１に供給され、この湯が給水口１２及び吐水流路１０を流れてスリット状の吐水口５から浴槽３内に吐水されて所定の落差を有する水膜７が形成される。
【００２５】
この水膜７が入浴者の両肩や背中部分に浴びせられ、この時、吐水口５の幅や上縁面３ａからの高さを人体の両肩部分に応じた所定寸法に設定することにより、水膜７を入浴者の両肩や背中部分に効率的に浴びせることができる。そして、この吐水を停止させる場合は、操作盤を操作してポンプ２５を停止させることによって行われ、これにより、入浴者が浴槽３に入浴中の所望時期に水膜７を形成させることが可能になる。なお、この時、例えば操作盤に流量調整スイッチを設けた場合等には、このスイッチの操作で水膜７の状態を入浴者の好みに応じて容易に設定することが可能になる。
【００２６】
このように、上記第１の実施形態の吐水装置１にあっては、吐水装置１が浴室壁面４に所定高さ浮いた状態で取り付けられているため、吐水装置１の設置に浴槽３の上縁面３ａの形状等（すなわち浴槽３の形態）が何等影響されることがなくなる。また、吐水装置１を支持する支持手段として配管孔２０を有する略平板状の支持板１５が使用され、この支持板１５が浴室壁面４に固定されるため、配管孔２０から配管部材１８内に挿通した給水配管２３を浴室壁面４内に配置できて、吐水装置１の設置時の給水配管２３が浴槽３の形態に何等影響されることもなくなり、これらにより、浴槽３の形態に係わらず吐水装置１を容易に設置することができる。
【００２７】
また、給水配管２３としてフレキシブル管が使用されると共に、吐水装置１の設置時に給水配管２３が樹脂製の配管部材１８内に挿通されるため、給水配管２３自体の配管作業をスムーズに行うことができると共に、浴槽３自体に従来のような上下に貫通する配管孔１０４を設ける必要がなくなり、空間２４内に配置したポンプ２５と給水配管２３とを接続することにより、給水配管２３を簡単に配置することができて、配管作業の作業性が向上する。また、吐水装置１がその係合突起１３を支持板１５の係合孔２１に係合させること等により位置決めされて支持板１５に取り付けできるため、吐水装置１の取付作業が簡単となり、その作業性を向上させることができる。
【００２８】
さらに、空間２４内にポンプ２５と給水配管２３の一部が配置されるのみであるため、空間２４のスペースが小さい浴室１の場合であっても、吐水装置１を簡単に設置することができると共に、所定形状の配管部材１８が使用されるため、浴室壁面４内における給水配管２３の配管スペースを小さくすることもできる。これらのことから、吐水装置１の設置に浴槽の形状上の制限がなくなって専用の浴槽が不要となり、吐水装置１を汎用タイプの浴槽３にも設置することができて、設置の汎用性を向上させることができると共に、設置の作業性を向上させることができたり、設置コストの低減化が図れて、例えば新設する各種浴室やリフォーム時の浴室等でも吐水装置１を簡単に設置することが可能になる。
【００２９】
また同時に、吐水装置１が浴槽３の上端面３ａより所定高さ位置に設置されるため、背当部を有さない浴槽３であっても吐水装置１の吐水口５を最適位置に設けてこの吐水口５から吐水させて水膜７を形成することが可能となり、例えば一般家庭の浴室１等に設置して、良好な水膜７によるマッサージ的なリクラゼーション効果を容易に得ることができ、浴槽３の使い勝手や付加価値の向上を図ること等もできる。
【００３０】
さらに、吐水装置１が前後一対の薄板８、９や弾性材１１により全体形状が薄板状に形成されているため、その設置スペースを小さくした状態で浴室壁面４にすっきりと取り付けることができて、吐水装置１の設置による浴室１自体のデザイン性の低下を防止することができると共に、吐水装置１自体のデザイン性を向上させることもできる。
【００３１】
また、吐水装置１が着脱可能なカバー６で覆われているため、カバー６無しの状態で吐水装置１の取付作業自体が容易に行えると共に、メンテナンス時にカバー６を取り外してその作業を容易に行うことができて、スリット状の吐水口５から吐水されて形成される水膜７を長期に亘り安定した状態に維持することが可能になる。さらにまた、吐水装置１が一対の薄板８、９と弾性材１１、給水口１２等によって構成されているため、吐水装置１自体の構成を簡略化してその組立性を向上させる等、吐水装置１自体を安価に形成できると共に、前述した設置コストの低減化や浴槽３自体の形状変更に伴うコストアップが抑えられ、結果として、吐水装置１を安価に設置することが可能になる。
【００３２】
図５及び図６は、本発明に係わる吐水装置の第２の実施形態を示す設置状態の斜視図及びその断面図である。以下、上記第１の実施形態と同一部位には同一符号を付して説明する。この実施形態の特徴は、吐水装置１が浴槽３の背側の上縁面３ａ上に支持手段としての左右一対の例えば金属製の支持パイプ３０、３１で上縁面３ａから所定高さ浮いた状態で配設されると共に、吐水装置１に照明装置３２が一体的に付設された点にある。
【００３３】
すなわち、吐水装置１は、上記実施形態と略同様に、一対の薄板８、９及び弾性材１１で薄板状に形成され、前側の薄板８の取付部８ａに前方に向けて給水口１２が設けられると共に、後方の薄板９の吐出部９ｂ後部に照明手段しての照明装置３２が例えば薄板９に固定されることで一体的に設けられている。この照明装置３２は、例えば側面視略Ｌ字形状のケース３３を有し、このケース３３の水平壁部内にはその長手方向に沿って複数個のＬＥＤ３４が基板３５に実装された状態で収納配置されている。
【００３４】
そして、このＬＥＤ３４は、同一色もしくは複数色のＬＥＤが使用され、その発光方向が前方に設定されて、ケース３３の前面に設けた透明な照明カバー３３ａから所定色の光が前方の吐水装置１に向けて照射されるようになっている。なお、吐水装置１の薄板９で少なくともその水平な吐出部９ｂは透明材によって形成され、照明装置３２から照射される光が内部の吐水流路１０を流れる水に照射されることにより、入浴時に水膜７に触れた部分が光るようになっている。
【００３５】
そして、このように構成された照明装置３２付きの吐水装置１は、その給水口１２部分が給水配管としての一方の支持パイプ３０で支持され、左端部分が配線収納管としての他方の支持パイプ３１で浴槽３の上縁面３ａ上に支持されている。つまり、支持パイプ３０の一端３０ａが吐水装置１の給水口１２に接続されて取付板３８で薄板８前面に固定されると共に、この支持パイプ３０の下方に屈曲された他端３０ｂが浴槽３の上縁面３ａの一端側（浴室壁面４に向って右側）に貫通配置され、その端部が給水配管３６や継手３７等を介して空間２４内に配置されたポンプ２５に接続されている。また、吐水装置１の薄板８の左端部には、取付板３８で支持パイプ３１の一端３１ａが固定され、この支持パイプ３１の下方に屈曲した他端３１ｂが浴槽３の上縁面３ａの他端側（浴室壁面４に向って左側）に貫通配置され、その先端が空間２４内に所定長さ突出している。
【００３６】
これにより、一対の支持パイプ３０、３１で吐水装置１が支持され、この時、支持パイプ３０が空間２４内の給水配管３６に接続されることで吐水装置１の給水配管２３として機能し、支持パイプ３１がその内部に照明装置３２の電源コード３９等を収納することで配線収納管として機能することになる。なお、各支持パイプ３０、３１は、浴槽３内から見た場合に略左右対称形状となるように屈曲形成されると共に、浴槽３の上縁面３ａに設けた貫通孔に配管アダプター４０を介して貫通配置されている。この時、支持パイプ３０、３１の他端部３０ｂ、３１ｂを支持する配管アダプター４０に所定の取付強度を持たせたり、あるいは適宜の補強部材で支持パイプ３０、３１を補強することにより、支持パイプ３０、３１を握りバーとして使用できる構成とすることもできる。
【００３７】
この実施形態の吐水装置１においても、その下端が浴槽３の上縁面３ａより所定高さ浮いた状態で上縁面３ａの上方に設置されることから、ほとんど全ての浴槽３に設けられる上縁面３ａを使用して吐水装置１を設置できて、設置スペースの省スペース化が図れ各種浴槽３に簡単に設置できる等、上記第１の実施形態と同様の作用効果を得ることができる。特に、上記第１の実施形態のように、浴室壁面４に配管孔１６、１７を開ける必要がないことから、既に一般家庭等に設置されている浴室１であっても、吐水装置１を浴室２の水密性を維持しつつ簡単かつ確実に設置できて、汎用性を一層向上させることができる。
【００３８】
また、この実施形態の吐水装置１の場合は、吐水装置１に照明装置３２が一体化されてカバー６内に収納配置されているため、吐水口５から吐水されて形成される水膜７を照明装置３２の所定色の光で光らせることができて、マッサージ効果等が得られる水膜７に幻想的な雰囲気を醸し出すことができて、一層良好なリクラゼーション効果が得られる。さらに、吐水装置１が浴槽３の上縁面３ａ上に、給水用及び配線収納用として機能する左右一対の支持パイプ３０、３１で浮いた状態で浴室壁面４側に設置されているため、各支持パイプ３０、３１の付加価値を高めることができると共に、浴槽３内から浴室壁面４を見た場合に、吐水装置１の設置部分のデザイン性を向上させることもできる。特に、支持パイプ３０、３１に握りバーの機能を持たせれば、浴槽３への出入りの際の安全性等を向上させることができる。
【００３９】
なお、本発明は、上記した第１及び第２の実施形態のそれぞれに限定されるものでもなく、例えば照明装置３２を第１の実施形態の吐水装置１に配置して、その電源コード３９を配管部材１８内に収納する等、各実施形態を適宜に組み合わせることもできる。また、上記各実施形態においては、支持手段として支持板１５や一対の支持パイプ３０、３１を使用したが、吐水装置１を浴室壁面４や浴槽３の上縁面３ａ上に支持させ得る適宜形状の支持手段を使用することができる。さらに、上記各実施形態における、吐水装置１自体の構成や吐水口５の形状等も一例であって、所定の水膜７を形成させ得る所定形状の吐水口５を採用する等、本発明に係わる各発明の要旨を逸脱しない範囲において適宜に変更することができる。
【００４０】
【発明の効果】
以上詳述したように、請求項１に記載の発明によれば、吐水装置が支持手段を介して浴槽上縁面から所定高さ浮いた状態で配設されると共に、給水配管が浴室壁面内や浴槽上縁面上に配設されるため、吐水装置の設置が浴槽の上縁面形状等に影響されず、吐水装置の設置の汎用性を向上させて既存の浴槽にも簡単に設置することができると共に、最適高さ位置からの水膜によるマッサージ的なリクラゼーション効果を容易に得ることができる。
【００４１】
また、請求項２に記載の発明によれば、請求項１に記載の発明の効果に加え、吐水装置が吐水流路が形成された一対の板体で形成され、一方の板体の基部側に給水配管が接続される給水口が設けられているため、吐水装置自体を薄型に形成することができて、吐水装置を浴室壁面や浴槽上縁面上にすっきりと設置することができる。
【００４２】
また、請求項３に記載の発明によれば、請求項１または２に記載の発明の効果に加え、支持手段が浴室壁面に固定される配管孔を有する支持板で形成され、該支持板の前面に吐水装置が取り付けられるため、吐水装置を支持板の前方から容易に取り付けできると共に、給水配管を浴室壁面内に配置することができて、吐水装置を浴室壁面に確実かつすっきりと設置することができる。
【００４３】
また、請求項４に記載の発明によれば、請求項１または２に記載の発明の効果に加え、支持手段が左右一対の支持パイプで形成され、その一方が給水配管として使用され他方が配線収納用に使用されるため、浴槽上縁面のスペースを有効利用して吐水装置を給水配管や配線用配管ですっきりと設置することができる。
【００４４】
また、請求項５に記載の発明によれば、請求項４に記載の発明の効果に加え、左右一対の支持パイプの少なくとも一方が浴槽上縁面に所定強度で取り付けられて握りバーとして機能するため、支持パイプを入浴時に握りバーとして使用できて、吐水装置の使い勝手を向上させることができる。
【００４５】
また、請求項６に記載の発明によれば、請求項１ないし５に記載の発明の効果に加え、吐水装置の外周部が着脱可能なカバーで覆われ、該カバー内に吐水口から吐水されて形成される水膜を光らせる照明手段が配置されているため、水膜に光による幻想的な雰囲気を醸し出すことができると共に、カバーを取り外すこと等により吐水装置のメンテナナンスが容易に行える等の効果を奏する。
【図面の簡単な説明】
【図１】本発明に係わる浴槽用吐水装置の第１の実施形態の設置状態を示す斜視図
【図２】同その一部を分解した概略断面図
【図３】同支持板と吐水装置の分解斜視図
【図４】同吐水装置の分割斜視図
【図５】本発明に係わる浴槽用吐水装置の第２の実施形態の設置状態を示す斜視図
【図６】同その概略断面図
【図７】従来の浴槽用吐水装置の設置状態の概略斜視図
【図８】同その側面図
【符号の説明】
１・・・・・・・・・浴槽用吐水装置
３・・・・・・・・・浴槽
３ａ・・・・・・・・上縁面
４・・・・・・・・・浴室壁面
５・・・・・・・・・吐水口
６・・・・・・・・・カバー
７・・・・・・・・・水膜
８、９・・・・・・・薄板
１０・・・・・・・・吐水流路
１１・・・・・・・・弾性材
１２・・・・・・・・供給口
１３・・・・・・・・係合突起
１５・・・・・・・・支持板
１５ａ・・・・・・・吐水装置取付部
１８・・・・・・・・配管部材
２０・・・・・・・・配管孔
２１・・・・・・・・係合孔
２２・・・・・・・・ナット
２３・・・・・・・・給水配管
２４・・・・・・・・空間
２５・・・・・・・・ポンプ
３０、３１・・・・・支持パイプ
３２・・・・・・・・照明装置
３４・・・・・・・・ＬＥＤ
３９・・・・・・・・電源コード
４０・・・・・・・・配管アダプター
【図１】
2004176268.tif 000003
【図２】
2004176268.tif 000004
【図３】
2004176268.tif 000005
【図４】
2004176268.tif 000006
【図５】
2004176268.tif 000007
【図６】
2004176268.tif 000008
【図７】
2004176268.tif 000009
【図８】
2004176268.tif 000010